(57)【要約】【課題】  申請書類の作成に要する捺印の操作の負担を低減すること。【解決手段】    申請管理システム１は、捺印を要する申請書類を管理する申請管理システムであり、申請書類の内容に関する書類情報を、管理に関する属性と共に記録する記録手段２と、書類に付される捺印の承認を求める承認要求手段３と、承認要求に対する応答に基づいて承認の有無を判定し、承認された場合には属性の承認情報に承認済みを付し、否認された場合には属性の承認情報に否認を付す判定承認手段４と、承認済みの承認情報が付せられた書類情報について申請書類の所定位置に捺印イメージを付して申請書類を印刷する印刷手段５とを備え、捺印の必要な信号書類について、事前に捺印者の当該書類に対する承認を得ておき、印刷時に書類情報と捺印イメージ情報とを用いて印刷することにより、書類上に捺印イメージを出力する。【選択図】  図１
2005100209.tif 000002
【特許請求の範囲】
【請求項１】
捺印を要する申請書類を管理する申請管理システムであって、
前記申請書類の内容に関する書類情報を、管理に関する属性と共に記録する記録手段と、
前記書類に付される捺印の承認を求める承認要求手段と、
承認要求に対する応答に基づいて承認の有無を判定し、承認された場合には前記属性の承認情報に承認済みを付し、否認された場合には前記属性の承認情報に否認を付す判定承認手段と、
前記承認済みの承認情報が付せられた書類情報について申請書類の所定位置に捺印イメージを付して申請書類を印刷する印刷手段とを備えることを特徴とする申請管理システム。
【請求項２】
前記属性は、捺印の承認を求める承認者情報及び当該承認者が属する承認先情報を備え、
前記承認要求手段は、前記承認先情報及び承認者情報に基づいて承認先の承認者に捺印の承認を求めることを特徴とする請求項１に記載の申請管理システム。
【請求項３】
前記記録手段は捺印イメージのイメージ情報を記録し、
前記属性は当該申請書類に付す捺印イメージを特定する情報を備え、
前記印刷手段は、当該属性に付された捺印イメージを特定する情報に基づいて捺印イメージのイメージ情報を読み出すことを特徴とする請求項１又は２に記載の申請管理システム。
【請求項４】
前記承認者情報は捺印イメージを特定する情報を兼ねることを特徴とする請求項３に記載の申請管理システム。
【請求項５】
前記承認要求手段は、承認先から捺印の承認許諾と共に捺印イメージのイメージ情報を取得し、
前記印刷手段は、承認先から取得した捺印イメージのイメージ情報を用いて印刷することを特徴とする、請求項１又は２に記載の申請管理システム。
【請求項６】
前記書類情報は、捺印イメージを付す申請書類中の所定位置に関する情報を備えることを特徴とする請求項１乃至５の何れか一つに記載の申請管理システム。
【請求項７】
前記書類情報は書類の記載項目を定める書式情報を備え、
前記記録手段は、前記記載項目に対応する申請内容情報を当該書類情報と別に記録し、
前記印刷手段は、記録手段に記録される書式情報と申請内容情報とをそれぞれ読み出し、書式情報の記載項目に対応する申請内容情報を組み込むことにより、申請書類を印刷することを特徴とする、請求項１乃至６の何れか一つに記載の申請管理システム。
【請求項８】
前記書類情報は書類の記載項目を定める書式情報を備え、
前記記録手段は、前記記載項目に対応する申請内容情報を当該書類情報と別に記録し、
前記記録手段に記録される書式情報と申請内容情報とをそれぞれ読み出し、書式情報の記載項目に対応する申請内容情報を組み込むことにより申請書類情報を作成する書類作成手段を備えることを特徴とする、請求項１乃至６の何れか一つに記載の申請管理システム。
【請求項９】
前記書類作成手段は、前記判定承認手段による承認時に申請書類情報を作成し、
前記印刷手段は、当該作成した申請書類情報に基づいて申請書類を印刷することを特徴とする、請求項８に記載の申請管理システム。
【請求項１０】
前記書類作成手段は、前記判定承認手段による承認に基づいて申請書類情報を作成し、
前記記録手段は、当該作成した申請書類情報を記録し、
前記印刷手段は、印刷要求時に記録手段から申請書類情報を読み出して申請書類を印刷することを特徴とする、請求項８に記載の申請管理システム。
【請求項１１】
前記属性は、申請書類の印刷状態を記録する印刷情報を含み、
前記記録手段は、印刷完了時に前記印刷情報に印刷済みを記録することを特徴とする請求項１乃至１０に何れか一つに記載の申請管理システム。
【発明の詳細な説明】
【技術分野】
【０００１】
本発明は、各種申請書類を管理するシステムに関し、特に、捺印を要する書類について書類毎に対応した捺印を付した書類を印刷する申請管理システムに関する。
【背景技術】
【０００２】
各種申請書類の中には捺印が求められる場合がある。この捺印は書類毎に押印される種類が予めに定められている。このような申請書類を提出先に提出するには、記載内容に誤りがないことに加えて、捺印に誤りがないことも必要である。
【０００３】
通常、必要事項を印刷した書類を作成した後、捺印者に捺印を求めることにより申請書類を意味し、提出先に提出することで申請が行われる。
【０００４】
申請内容によっては、申請書類の種類や提出先が多岐に渡るだけでなく、申請書類に押印される捺印の種類も多岐に渡る。  
【発明の開示】
【発明が解決しようとする課題】
【０００５】
従来、申請書類は、必要事項を印刷して書類を用意し、この書類毎に定められた承認者に捺印を依頼し、承認者によって捺印されて初めて完備されることになる。このとき、この捺印を誤った場合には、再度書類を用意して再度捺印を求めて押印する必要がある。
【０００６】
申請書類毎に定まっている捺印の種類を誤ることなく捺印を正しく行うには、正しい書類を承認者に渡して捺印を依頼する必要があるため、捺印自体の操作の煩雑さに加えて、捺印前の書類を正しく用意することは、複雑で慎重さを要する作業となるため、大きな負担となるという問題がある。
【０００７】
また、通常、申請には期限が設定されるものがあるため、多種類で多量の捺印を要する書類を所定の期限内に用意することは、申請者にとって大きな負担である。提出書類に記載事項や捺印に誤り等があった場合には、再度書類を印刷して用意し、再度捺印を依頼する必要があるが、期限の期間の残余が短くなっているため、所定期間内に用意することはさらに大きな負担となるという。
【０００８】
そこで、本発明は、前記した課題を解決して、申請書類の作成に要する捺印の操作の負担を低減することを目的とする。
【課題を解決するための手段】
【０００９】
本発明の申請管理システムは、捺印の必要な信号書類について、事前に捺印者の当該書類に対する承認を得ておき、印刷時に書類情報と捺印イメージ情報とを用いて印刷することにより、書類上に捺印イメージを出力するものであり、書類情報と捺印イメージ情報とが対応づけられているため各書類に定められた捺印を誤り無く行うことができ、また、書類毎に人手により捺印するといった煩雑な操作を省くことができる。
【００１０】
本発明の申請管理システムは、捺印を要する申請書類を管理する申請管理システムであり、申請書類の内容に関する書類情報を、管理に関する属性と共に記録する記録手段と、書類に付される捺印の承認を求める承認要求手段と、承認要求に対する応答に基づいて承認の有無を判定し、承認された場合には属性の承認情報に承認済みを付し、否認された場合には属性の承認情報に否認を付す判定承認手段と、承認済みの承認情報が付せられた書類情報について申請書類の所定位置に捺印イメージを付して申請書類を印刷する印刷手段とを備える。
【００１１】
記録手段は、申請書類の内容に関する書類情報を記録する。ここで、申請書類は申請行為に要する種々の書類を意味し、申請事項に応じて種々の書類が定めておくことができる。例えば、ある機器の検定を申請するために、検定申請書，誓約書，委任状，添付書類，補足書類、取り扱い説明書等の各種必要書類を定めておくことができる。
【００１２】
この書類中には、捺印を要するものと捺印を要さないものとがある。本発明はこの捺印を要する書類について、承認要求手段により捺印の承認者に承認を得て、承認が得られたものについては判定承認手段により書類情報の属性の承認情報に承認済みを記録しておき、印刷手段は承認情報が付せられた書類情報について捺印イメージを付して申請書類を印刷する。
【００１３】
これにより、捺印が必要な申請書類について正しい捺印を印刷することができると共に、承認者の承認が得られた申請書類のみについて捺印イメージを付すことによりセキュリティーを保持することができる。
【００１４】
本発明の記録手段は、これら各申請書類の書類書式情報を記録する他、これら申請書類に記載する申請書類の内容に関する書類情報についても記録する。この内容に関する書類情報としては、例えば、申請事項が遊技機器の申請である場合には、その遊技機器の登録番号，製造者名，機種名，型式試験番号等がある。
【００１５】
印刷手段は、これらの書類情報や申請書類の提出先の名称を書類書式の所定位置に記載し、捺印を要する場合にはその捺印者の名称を記載すると共に所定位置に捺印イメージを付して申請書類の印刷を行う。
【００１６】
また、記録手段は、申請書類の内容に関する書類情報を、管理に関する属性と共に記録する。この属性は、捺印の承認を求める承認者情報、承認者が属する承認先情報を含み、承認要求手段はこの承認者情報や承認先情報に基づいて各書類に必要な捺印の承認を承認先に求めることができる。また、承認要求手段により得られた承認状況に関する情報は判定承認手段により属性中に記録される。印刷手段は、この属性に記録された承認状況に基づいて捺印イメージの印刷の可否を判定することができる。
【００１７】
承認要求手段は、書類情報の属性に記録される承認先情報及び承認者情報に基づいて、承認先の通知し承認者に捺印の承認を求め、判定承認手段は承認者から捺印の承認を得られた場合には属性に記録する。その後、印刷要求が出されると、書類情報の属性に記録された承認を確認して、書類の所定位置に捺印イメージを付すことで、捺印がふされた書類が形成される。
【００１８】
捺印イメージは、記録手段にイメージ情報として記録しておき、印刷時に読み出す形態とすることも、あるいは、印刷時に承認先から取り込む形態とすることもできる。承認先から捺印イメージを取り込む形態の場合には、承認先において捺印のイメージ情報を記録しておき、本発明の申請管理システムから要求があった時に当該イメージ情報を送信する他、要求時に捺印イメージを取り込んで送信することもできる。承認要求手段は、承認先から捺印の承認許諾と共に捺印イメージのイメージ情報を取得し、印刷手段は、承認先から取得した捺印イメージのイメージ情報を用いて印刷を行う。
【００１９】
また、記録手段は、書類情報の属性として、申請書類に付す捺印イメージを特定する情報を記録することにより、各書類に要する捺印イメージを特定することができる。印刷手段は属性に付された捺印イメージを特定する情報に基づいて捺印イメージのイメージ情報を読み出すことができる。承認者と捺印者とが一致している場合には、この捺印イメージを特定する情報として承認者情報を用いてもよい。
【００２０】
また、書類情報は、申請書類のどの位置に捺印イメージを付すかの位置情報や、書類の記載項目を定める書式情報を備えることができる。
【００２１】
記録手段は、書式情報等の書類情報の他にこの記載項目に対応する申請内容情報を書類情報と別に記録する。
【００２２】
申請書類の印刷は、印刷するための申請書類の作成及び印刷を印刷手段で行う形態の他、一旦申請書類を作成して記録しておき、印刷手段は記録された申請書類を読み出して印刷する形態とすることもできる。
【００２３】
印刷手段において申請書類の作成と印刷を行う場合には、印刷手段は記録手段に記録される書式情報と申請内容情報とをそれぞれ読み出し、書式情報の記載項目に対応する申請内容情報を組み込むことにより申請書類を印刷する。
【００２４】
また、申請書類の作成と印刷を別に行う場合には、申請書類情報を作成する書類作成手段を備える。記録手段に、記載項目に対応する申請内容情報を当該書類情報とを別に記録しておき、書類作成手段によって記録手段に記録される書式情報と申請内容情報とをそれぞれ読み出し、書式情報の記載項目に対応する申請内容情報を組み込むことにより申請書類情報を作成する。
【００２５】
書類作成手段による一形態では、判定承認手段による承認時に申請書類情報を作成し、印刷手段により申請書類を印刷する。また、書類作成手段による他の形態では、判定承認手段による承認に基づいて申請書類情報を作成し、作成した申請書類情報を記録手段に記録しておく。印刷手段は印刷要求時に記録手段から作成した申請書類情報を読み出して申請書類を印刷する。
【００２６】
また、属性は、申請書類の印刷状態を記録する印刷情報を含むようにしてもよい。記録手段は、印刷完了時に印刷情報に印刷済みを記録する。印刷情報に記録される印刷状態により、申請書類を管理することにより、申請書類の発行，未発行のチャックが容易となり、また、同一の申請書類の複数発行を防ぐことができる。
【発明の効果】
【００２７】
本発明の申請管理システムによれば、申請書類の作成に要する捺印の操作の負担を低減することができる。
【発明を実施するための最良の形態】
【００２８】
以下、本発明の実施の形態について、図を用いて詳細に説明する。  
【００２９】
以下、図１を用いて本発明の申請管理システムの概略を説明し、図２〜図８を用いて本発明の申請管理システムの第１の形態を説明し、図９〜図１３を用いて本発明の申請管理システムの第２の形態を説明する。
【００３０】
図１において、申請管理システム１は、申請書類の内容に関する書類情報２ａを、管理に関する属性と共に記録する記録手段２と、書類に付される捺印の承認を求める承認要求手段３と、承認要求に対する応答に基づいて承認の有無を判定し、承認された場合には属性の承認情報に承認済みを付し、否認された場合には属性の承認情報に否認を付す判定承認手段４と、承認済みの承認情報が付せられた書類情報について申請書類の所定位置に捺印イメージを付して申請書類を印刷する印刷手段５とを備える。
【００３１】
記録手段２は、申請書類等の書類１０に関する情報を記録する手段であり、書類情報２ａや捺印イメージ情報２ｃ等を記録する。ここで、申請書類は申請行為に要する種々の書類を意味し、申請事項に応じて種々の書類が定めておくことができる。例えば、機器検定を申請する書類としては、検定申請書，誓約書，委任状，添付書類，補足書類、取り扱い説明書等の各種必要書類とすることができる。
【００３２】
書類情報２ａは、各申請書類において、共通事項として、記載事項やその記載事項の記載位置等のフォーマットを定める書式情報を備える他、各申請に関わる個別情報として、記載内容、書類の提出先等の情報や捺印の要否がある。さらに、捺印を要する書類である場合には、その捺印を求める承認者や承認先、承認の状況等を個々の情報を備える。上記個別情報は、書類情報の属性として記録することができる。
【００３３】
また、捺印イメージ情報２ｂは、書類１０上に捺印を印刷するために用いる捺印をイメージ情報であり、予め捺印をスキャナや撮像装置等により画像データを取得して求め記録しておくことができる。なお、図１では、捺印イメージ情報２ｂは、書類情報２ａが記録される記録手段２に記録する構成を示しているが、この構成に限らず、捺印イメージ情報２ｂを承認先に記録しておく構成とすることも、あるいは、記録することなく、必要に応じてスキャナや撮像装置等により取得する構成とすることもできる。
【００３４】
承認要求手段３は、捺印者である承認先１１の承認者に通知して、捺印の使用について承認の許諾を得ることにより、書類に付される捺印の承認を求める手段であり、例えば、承認先１１と通信接続する通信手段とすることができる。通信手段はネットワークを利用することができ、例えば、書類情報中の属性に記録された承認先あるいは承認者に対応するアドレスを読み出して接続を行うことができる。承認要求の際には、承認を求める申請書類を特定するために、書類の種類や記載内容等を通知してもよい。
【００３５】
また、承認先から捺印イメージ情報についても取得する場合には、承認要求手段３を介して承認許諾と共に捺印イメージ情報を入力する。承認先に対する承認要求は、申請管理システム１に対して入力された承認要求に基づいて行うことができる。
【００３６】
判定承認手段４は、承認要求手段３が承認先に行った承認要求に対して承認先から得られた応答に従って承認の有無を判定し、判定結果に基づいて属性中の承認状況を設定する。属性の承認情報のデータ項目は初期状態では未承認としておき、承認先から捺印の使用について承認が得られた場合には承認済みを設定し、否認された場合には否認を設定する。これにより、属性の承認情報を確認することにより、捺印の使用について未承認、承認、あるいは否認に何れの状況にあるかを確認することができ、未承認の場合には、承認先に対して承認が未要求であると認識することができ、承認の場合には、捺印の使用が許諾されていると認識することができ、また、否認の場合には、書類の記載項目等の不備などにより承認が保留されていると認識することができる。
【００３７】
印刷手段５は、記録手段２に記録される書類情報２ａと捺印イメージ情報２ｂとを用いて、捺印イメージを付した書類１０を印刷する。なお、捺印イメージ情報は記録手段２に記録され画像データを用いることも、あるいは、承認先１１から取り込んだ画像データを用いることもできる。捺印イメージ情報２ｂの書類上の位置は、書式情報中に設定しておくことができる。
【００３８】
なお、印刷処理は、申請管理システム１に対して入力された印刷要求に基づいて行うことができる。また、捺印を要さない書類の場合には、書類情報のみによって印刷することもできる。
【００３９】
次に、本発明の申請管理システムの第１の形態について、図２〜図８を用いて説明する。  図２は本発明の申請管理システムの第１の形態を説明するための図である。
【００４０】
第１の形態は、捺印イメージ情報２ｂを予め承認先から取得して記録手段２内に用意しておき、承認要求時に承認先に捺印の使用許諾を得た後、印刷要求時に書類情報２ａと捺印イメージ情報２ｂとを組み合わせて捺印付きの書類を印刷する形態である。
【００４１】
なお、ここに示す例では、書類作成手段６において書類情報２ａと捺印イメージ情報２ｂとにより作成書類情報を形成して記録手段２に記録しておき、印刷要求時に記録手段２から作成書類情報を読み出して印刷を行う例について示している。
【００４２】
ここで、書類作成手段６は、書類情報２ａ，申請書類の内容に関する書類情報（例えば、申請機種情報２ｃ），捺印イメージ情報２ｂ等から作成書類情報を形成する手段であり、書類情報２ａ中の書式情報の所定項目に申請書類の内容に関わる事項を組み込み、捺印の所定位置に捺印イメージを組み込むことにより、印刷手段５が印刷する際の印刷データとなる作成書類情報を作成する。ここでは、書類作成手段６で作成した書類情報を記録手段２に記録しておき、印刷要求時に読み出して印刷する例を示しているが、書類作成手段６で作成した書類情報を印刷手段５に直接送り、記録することなく直ぐに印刷を行うようにしてもよい。
【００４３】
図３〜図５は、記録手段に記録する申請書類の内容に関わる事項の情報、書類情報、及び作成書類情報の一例を示している。
【００４４】
図３は申請機器情報の一例であり、所定の機器を申請書類の内容とする場合の例である。申請機器情報としては、例えば、機種の登録番号，製造会社や販売会社等の当該機器を取り扱う会社名（メーカー名），機種名，型式試験番号等がある。なお、型式試験番号は、当該機器の認定に当たって所定に試験を要する場合に付せられる識別番号である。
【００４５】
この申請機器情報は、申請書類上に所定欄に記載される。申請書類の種類毎に設定された書式情報にこの申請機器情報を記載する位置を設定しておき、この設定位置に申請機器情報くに組み込むことにより申請書類を形成することができる。
【００４６】
図４は書類情報の一例であり、例えば書類名，書類書式等の情報を属性と共に備える。書類名は各書類の種類を識別する名称であり、例えば、申請書，誓約書，委任状，取り扱い説明書，補足資料等がある。各書類名に対して、記載内容に応じて複数の書類書式が用意される。例えば、申請書に対して申請の内容や形式に応じて申請０１，申請０２，…等の各書式が用意し、誓約書に対して誓約の内容や形成に応じて誓約０１，誓約０２，…等の各書式が用意される。委任状，取り扱い説明書，補足資料についても、同様にそれぞれ各書式が用意される。なお、これらの例は一例であって、申請内容によって異なる。
【００４７】
属性には、各書類書式において、個別の書類に関わらず書類書式毎に共通に持つ属性情報（図中の属性１）と、書類毎に固有に持つ属性情報（図中の属性２）とに区分することができる。
【００４８】
属性１としては、例えば捺印の承認を求める承認先（図中のＡ社，Ｂ社，Ｃ社，…）、機種情報を書類に記載することを要するか否かの機種情報の要否、捺印を書類に付すことを要するか否かの捺印の要否，捺印イメージのイメージ情報を特定する捺印データ（図中のA-01，A-02，…，B-01，…，C-01，…），捺印の使用許諾を求める承認先の承認者（図中にＡ社取締役a1，Ａ社取締役a2，…，Ｂ社取締役b，…），書類の提出先等がある。なお、承認者は、承認の個人名と個人が所属する組織名に分けて設定することもできる。この属性１は、各書類書式に共通の情報となる。
【００４９】
また、属性２としては例えば承認状況があり、各個別の書類に対応した情報となる。この承認状況の初期状態は未承認が設定され、承認先の承認が得られた場合には承認が設定され、書類の記載事項の不備等によって承認先の承認が得られない場合には否認が設定される。
【００５０】
図４の例では、申請書，誓約書，委任状は捺印を要する書類であるため、属性１の捺印の要否の項目には「要」が設定され、捺印データの項目には当該書類に捺印されるべき捺印データのデータ名が設定される。また、その承認者の項目には承認先の名称が設定される。一方、取り扱い説明書，補足資料は捺印を要さない書類であるため、捺印データの項目、承認者の項目、承認状況の項目にはデータは説明されない。
【００５１】
図５は、図４の書類情報を元に作成した個々の作成書類の情報例である。例えば、書類番号が申請０３−０１０の作成書類は、申請０１で表される書類書式を用いる書類であって、０３−００５の申請機種に関する申請であり、属性１からA-01とA-02の捺印データで特定される２つの捺印イメージを要し、その捺印の承認先はそれぞれＡ社取締役a1とＡ社取締役a2であることが分かり、属性２の承認状況から未承認であることが分かる。
【００５２】
また、書類番号が申請０３−０１１の作成書類は、申請０１で表される書類書式を用いる書類であって、０３−００６の申請機種に関する申請であり、属性１からB-01の捺印データで特定される１つの捺印イメージを要し、その捺印の承認先はＢ社取締役bであることが分かり、属性２の承認状況から承認され、更に、印刷済みであることが分かる。
【００５３】
また、書類番号が申請０３−０１２の作成書類は、申請０２で表される書類書式を用いる書類であって、０３−０１１の申請機種に関する申請であり、属性１からC-01の捺印データで特定される１つの捺印イメージを要し、その捺印の承認先はＣ社取締役Cであることが分かり、属性２の承認状況から承認が否認されていることが分かる。誓約書類，委任状，取り扱い説明書，補足資料についても同様である。
【００５４】
次に、図６〜図８を用いて、本発明の申請管理システムによる申請書類の作成動作及び印刷動作について説明する。なお、図６は申請管理システムによる動作を説明するための概略図であり、図７は申請管理システムによる申請書類の作成動作を説明するためのフローチャートであり、図８は申請管理システムによる申請書類の印刷動作を説明するためのフローチャートである。
【００５５】
はじめに、申請書類の作成動作について図７のフローチャートに従って説明する。
【００５６】
作成を行う書類について、記録手段２の書類情報２ａを読み出す。作成を行う書類は、例えば書類書式を指定することで特定することができる（ステップＳ１）。
【００５７】
指定して読み出した書類情報２ａの属性からその書類が機種情報を要するか否かを判定し（ステップＳ２）、機種情報の項目に「要」が設定されている場合には、申請機種情報２ｂから該当する申請機種情報を選択し、申請書類内に取り込む。これにより、例えば、申請内容として機種登録番号，機種名，型式試験番号等の情報が申請書類内に盛り込まれる（ステップＳ３）。
【００５８】
次に、書類情報２ａの属性からその書類が捺印を要するか否かを判定し（ステップＳ４）、捺印の要否の項目に「要」が設定されている場合には、さらに、属性２の承認状況の項目に「承認」が設定され承認済みであるかを判定する。通常、申請書類の作成段階では、この承認状況の項目は初期状態として「未承認」が設定されているため、承認先１１に承認を求める。
【００５９】
承認を求める場合には、属性１の承認者の項目に設定された承認先に通知して行う。この際、承認先に承認を求める機種情報等を通知して、承認内容の確認させることができる。ネットワークを介して承認先に通知する場合には、承認要求手段３は承認先のアドレスを検索して行う。なお、承認者の項目に承認先のアドレスを設定しておくこともできる（ステップＳ６）。
【００６０】
判定承認手段４は承認先から承認結果を受け、承認に有無を判定する（ステップＳ７）。この承認判定において、承認先から捺印の使用について承認が得られた場合には、作成書類情報に承認済みを記録する。この承認済みの記録は、属性２の承認状況に「承認」を設定することにより行うことができる（ステップＳ８）。
【００６１】
書類情報中に設定される記載事項を検索し、更に申請書類に取り込む事項がある場合には（ステップＳ９）、必要な情報を取り込んで（ステップＳ１０）、作成書類情報を完成させ記録手段２に記録する（ステップＳ１１）。
【００６２】
ステップＳ７において、例えば承認先から捺印の使用について承認が得られない場合には、作成書類情報の属性２の承認状況に「否認」を記録し（ステップＳ１２）、その旨を表示手段９に表示する。
【００６３】
表示手段９に「否認」の表示がされた場合には、該当する申請書類の項目について検討することにより、再度承認先に承認を求めることができる。
【００６４】
なお、上記したフローチャートでは、承認先に対する捺印使用の承認要求をした後に作成書類情報を作成する手順としているが、作成書類情報を作成した後に承認先に捺印使用の承認を求める手順としてもよい。この手順によれば、作成した作成書類情報の確認を承認先に求めることができる。
【００６５】
次に、申請書類の印刷動作について図８のフローチャートに従って説明する。
【００６６】
作成書類情報を作成した後、印刷要求が出されると（ステップＳ２１）、印刷要求された作成書類情報２ｄを記録手段２から読み出し（ステップＳ２２）、属性２の承認状況を参照して承認済みか否かを判定する（ステップＳ２３）。
【００６７】
承認済みである場合には、記録手段２から捺印イメージ情報２ｂを読み出し（ステップＳ２４）、作成書類情報２ｄと共に印刷を行う（ステップＳ２５）。印刷した後は、属性２中に印刷が完了したことを記録する（ステップＳ２６）。
【００６８】
ステップＳ２３において承認状況が承認済みでない場合には、その書類が捺印を要するものであるか否かを属性１を参照して判定し（ステップＳ２７）、捺印を要さない場合には書類情報を印刷し（ステップＳ２８）、捺印を要する場合には、未承認あるいは否認であることを通知する（ステップＳ２９）。  
【００６９】
なお、上記動作において、申請機種情報や申請書類等の登録情報やその他の入力情報等の入力、承認要求や印刷要求等の要求は、入力手段８を介して行うことができ、また、記録手段２に対する情報の入出力は、データ管理手段７によって行うことができる。
【００７０】
次に、本発明の申請管理システムの第２の形態について説明する。
【００７１】
第２の形態は、捺印イメージ情報を承認先から取得する形態であり、その他の構成は第１の形態と同様とすることができる。そこで、以下では、第１の形態と共通する部分の説明は省略し、主に相違する構成について説明する。
【００７２】
図９は本発明の申請管理システムの第２の形態を説明するための概略図である。図９において、第２の形態は、捺印イメージ情報を承認先１１が管理する記録手段１２に記録するか、あるいは承認先１１側に設けたスキャナや撮像装置によって取得する点で相違し、その他の構成は第１の形態と同様とすることができる。
【００７３】
第２の形態が扱う申請機種情報は第１の形態と同様とすることができ、書類情報，作成書類情報についても、図１０，１１に示すように、捺印イメージ情報に関する他は第１の形態とほぼ同様とすることができる。
【００７４】
第２の形態では、捺印イメージ情報は承認先から取得するため、記録手段２の書類情報，作成書類情報には記録していない。
【００７５】
次に、図１２，１３を用いて、本発明の第２の形態の印刷動作について説明する。図１２は申請管理システムによる動作を説明するための概略図であり、図１３は申請管理システムによる申請書類の印刷動作を説明するためのフローチャートである。なお、第２の形態の申請書類の作成動作は第１の形態と同様とすることができるため、ここでの説明は省略する。
【００７６】
第２の形態の申請書類の印刷動作について図１３のフローチャートに従って説明する。
【００７７】
作成書類情報を作成した後、印刷要求が出されると（ステップＳ３１）、印刷要求された作成書類情報２ｄを記録手段２から読み出し（ステップＳ３２）、属性２の承認状況を参照して承認済みか否かを判定する（ステップＳ３３）。
【００７８】
承認済みである場合には、承認先に接続して承認先から捺印イメージ情報の取得を要求する。承認先への接続は、第１の形態と同様に、属性１に記録された承認者の情報に基づいて承認要求手段３によって行うことができる（ステップＳ３４）。
【００７９】
承認先は、記録手段１２に捺印イメージ情報を記録している場合にはこの捺印イメージ情報２ｂを読み出し、記録していない場合にはスキャナ等により捺印の画像情報を取得して、承認要求手段３に送る（ステップＳ３５）。印刷手段５は、記録手段２に記録されている作成書類情報２ｄを読み出すと共に、承認先から取得した捺印イメージ情報２ｂを用いて印刷を行う（ステップＳ３６）。印刷した後は、属性２中に印刷が完了したことを記録する（ステップＳ３７）。
【００８０】
ステップＳ３３において承認状況が承認済みでない場合には、その書類が捺印を要するものであるか否かを属性１を参照して判定し（ステップＳ３８）、捺印を要さない場合には書類情報を印刷し（ステップＳ３９）、捺印を要する場合には、未承認あるいは否認であることを通知する（ステップＳ４０）。  
【００８１】
なお、上記動作において、申請機種情報や申請書類等の登録情報やその他の入力情報等の入力、承認要求や印刷要求等の要求は、入力手段８を介して行うことができ、また、記録手段２に対する情報の入出力は、データ管理手段７によって行うことができる。
【産業上の利用可能性】
【００８２】
本発明の申請管理システムは、遊技機器の申請書類の印刷に限らず、任意の申請事項に対する申請書類の印刷に適用することができ、また、更には、申請書類に限らず、捺印を要する書類に対しても適用することができる。
【図面の簡単な説明】
【００８３】
【図１】本発明の申請管理システムの概略を説明するための図である。
【図２】本発明の申請管理システムの第１の形態を説明するための図である。
【図３】本発明の第１の形態における申請機器情報の一例である。
【図４】本発明の第１の形態における書類情報の一例である。
【図５】本発明の第１の形態における作成書類情報の一例である。
【図６】本発明の第１の形態による動作を説明するための概略図である。
【図７】本発明の第１の形態による申請書類の作成動作を説明するためのフローチャートである。
【図８】本発明の第１の形態による印刷動作を説明するためのフローチャートである。
【図９】本発明の申請管理システムの第２の形態を説明するための図である。
【図１０】本発明の第２の形態における書類情報の一例である。
【図１１】本発明の第２の形態における作成書類情報の一例である。
【図１２】本発明の第２の形態による動作を説明するための概略図である。
【図１３】本発明の第２の形態による印刷動作を説明するためのフローチャートである。
【符号の説明】
【００８４】
１  申請管理システム    
２  記録手段
２ａ  書類情報
２ｂ  捺印イメージ情報
２ｃ  申請機種情報
２ｄ  作成書類情報
２ｅ  管理情報
３  承認要求手段
４  判定承認手段  
５  印刷手段
６  書類作成手段
７  データベース管理手段
８  入力手段
９  表示手段
１０  書類  
１１  承認先
１２  記録手段
【図１】
2005100209.tif 000003
【図２】
2005100209.tif 000004
【図３】
2005100209.tif 000005
【図４】
2005100209.tif 000006
【図５】
2005100209.tif 000007
【図６】
2005100209.tif 000008
【図７】
2005100209.tif 000009
【図８】
2005100209.tif 000010
【図９】
2005100209.tif 000011
【図１０】
2005100209.tif 000012
【図１１】
2005100209.tif 000013
【図１２】
2005100209.tif 000014
【図１３】
2005100209.tif 000015